(57)【要約】【課題】  デジタル画像を、デジタルインターフェースを通してダビングする際、画像フォーマットが変化した時に、転送できなくなる場合を回避する。【解決手段】  ダビング中に、画像データのフォーマットが異なった場合、一旦停止し、データ転送帯域を解放する。外部にも一旦停止命令を送る。再度、帯域を取り、取れたところでダビングを再開する。【選択図】  図１
2007080353.tif 000002
【特許請求の範囲】
【請求項１】
複数の異なるフォーマットの画像データを再生し、外部にデジタル転送を行う装置であって、デジタル転送は転送データ量をあらかじめ指定しておき、アイソクロナス転送を行うものであって、
画像データを再生・転送している際に、再生する画像データのフォーマットが異なった場合は、再生動作を一旦停止すると共に、外部に停止命令を送り、あらかじめ指定してある転送データ量を解除し、あらためて必要な転送データ量を指定し、その指定が終わった段階で再生及びデータ転送を再開することを特徴とする、データ通信装置。
【請求項２】
請求項１のデータ通信装置で、外部に停止命令を送る際に、これとは別に画像データのあらたなフォーマットの情報を送ることを特徴とする、データ通信装置。
【請求項３】
請求項１のデータ通信装置で、停止命令は、一旦停止の命令であって、その命令は転送する画像データとは独立の、パケット通信で送ることを特徴とする、データ通信装置。
【請求項４】
複数の異なるフォーマットのデジタル画像データを、アイソクロナス通信で送信する送信手段と、
前記送信手段により送信される画像データのフォーマットの更新を検出する検出手段と、
更新された画像データがメモリを通してアイソクロナス通信で送信されるよりも先に、フォーマット更新情報をアシンクロナス通信によって送信する様、前記送信手段を制御する送信制御手段とを有したことを特徴とするデータ通信装置。
【請求項５】
前記送信手段は、前記デジタル画像データをパケットに分け、複数の伝送チャンネルを確保し、各チャンネルは、定められた周期に従い、１周期に一つのパケットを転送することを特徴とする、請求項４記載のデータ通信装置。
【請求項６】
前記データ転送は、ＩＥＥＥ１３９４で定められたアイソクロナス転送であることを特徴とする、請求項４記載のデータ通信装置。
【請求項７】
データはフレーム間圧縮を用いた画像データであることを特徴とする、請求項４記載のデータ通信装置。
【請求項８】
画像データは、ＭＰＥＧ方式で圧縮されたデータであることを特徴とする、請求項４記載のデータ通信装置。
【請求項９】
複数の異なるフォーマットのデジタル画像データを、アイソクロナス通信で送信する送信ステップと、
前記送信ステップにより送信される画像データのフォーマットの更新を検出する検出ステップと、
更新された画像データがメモリを通してアイソクロナス通信で送信されるよりも先に、フォーマット更新情報をアシンクロナス通信によって送信する様、前記送信を制御する制御ステップとを有したことを特徴とするデータ通信方法。
【請求項１０】
前記送信手段は、前記デジタル画像データをパケットに分け、複数の伝送チャンネルを確保し、各チャンネルは、定められた周期に従い、１周期に一つのパケットを転送することを特徴とする、請求項９記載のデータ通信方法。
【請求項１１】
前記データ転送は、ＩＥＥＥ１３９４で定められたアイソクロナス転送であることを特徴とする、請求項９記載のデータ通信方法。
【請求項１２】
データはフレーム間圧縮を用いた画像データであることを特徴とする、請求項９記載のデータ通信方法。
【請求項１３】
画像データは、ＭＰＥＧ方式で圧縮されたデータであることを特徴とする、請求項９記載のデータ通信方法。
【発明の詳細な説明】
【技術分野】
【０００１】
本発明は、画像データを通信する装置に関する。
【背景技術】
【０００２】
従来より、デジタル画像を記録再生する装置では、デジタル画像をＩＥＥＥ１３９４インターフェース等を用いて、デジタルデータとして通信しダビングする事が行われている。
【０００３】
すなわち、ダビング元でデジタル画像を再生し、これをデジタルデータとしてダビング先に通信する。ダビング先では、このデジタル画像をデジタル記録する。これにより、ダビング元のメディアの画像の複製がダビング先で作成される。
【０００４】
このようなデジタル画像の記録通信方式として、民生用デジタルＶＴＲの規格がある。この規格では、画像記録の方式として、ＨＤ，ＳＤ，ＳＤＬの記録方式及び通信方法があげられている。
【０００５】
この内、ＳＤとＳＤＬの記録方式及び通信方式について、簡単に説明する。
【０００６】
図４に、ＳＤ記録方式のテープパターンを、図５にＳＤＬ記録方式のテープパターンを示す。ＳＤ記録では、テープ上の１０トラックで１フレームを構成する。これに対し、ＳＤＬ記録方式では、ＳＤよりも高圧縮率にすることで、５トラックで１フレームを構成するようになっている。
【０００７】
テープ内の画像データがＳＤであるか、ＳＤＬであるかは、トラック情報の中のＰＡＣＫ情報を読み取ることで判別できる。（テープ速度が異なっても、部分的に読み取れたところに、このＰＡＣＫ情報があればよい。）
図６に、ＳＤ画像データのパケットが転送される様子を、図７に、ＳＤＬ画像データのパケットが転送される様子を示す。
【０００８】
ＳＤ／ＳＤＬフォーマットでは、画像データの転送は、ＩＥＥＥ１３９４のアイソクロナス転送により行われる。図で１３はサイクルスタートパケットであり、１４はＳＤ画像データのアイソクロナスパケット、１５はＳＤＬ画像のアイソクロナスパケットである。アイソクロナスパケットの内部を、図８に示す。パケットは、ヘッダ、ヘッダＣＲＣ、ＣＩＰ、データ、データＣＲＣから構成される。この内データの部分がＳＤＬはＳＤに対して半分のデータ量になっている。すなわち、各パケットのサイズは、データがＳＤが４８０バイト、ＳＤＬが２４０バイトと異なる一方、ヘッダが４バイト、ヘッダＣＲＣが４バイト、ＣＩＰが８バイト、データＣＲＣが４バイトであり、ＳＤとＳＤＬで共通となる。この場合、アイソクロナスパケット全体のデータ量は、ＳＤは５００バイト、ＳＤＬは２６０バイトとなる。
【０００９】
アイソクロナス転送の場合は、転送に先立ち、あらかじめ転送するデータ量（帯域）を確保しておく必要がある。例えば転送レートがＳ１００の場合、ＳＤ画像をダビングする場合、最低２０００ユニットの帯域を、ＳＤＬ画像をダビングする場合は、最低１０４０ユニットの帯域を確保しておく必要がある。なお、この帯域は転送レート（Ｓ100等）により上限が決められている。
【００１０】
ダビングのための通信をする場合、まずダビング元でテープの再生情報から、記録内容がＳＤであるかＳＤＬであるかとうかを判定する。ＳＤであれば転送帯域を２０００ユニット、ＳＤＬであれば１０４０ユニットを確保し、確保できたらパケットを、ダビング先に送る。（帯域確保を行うのは、必ずしもダビング元が行わなければならないものではない。第三の装置がダビングのための帯域を管理し、ダビング開始までに、必要な帯域を確保していても良い。）
転送されているパケット情報からＳＤまたはＳＤＬを判別するには、ＣＩＰヘッダの中のＳＤ／ＳＤＬ情報または、パケットサイズ（データサイズ）で行える。
【００１１】
また、別の例として、記録媒体に記録されている動画像データを再生しつつＩＥＥＥ１３９４（以降１３９４）のアイソクロナス伝送行うことが考えられる。従来は、民生用デジタルＶＴＲで用いられる、ＳＤ画像を転送する際に、多く用いられていた。これに対して、ディスク媒体に動画像をデジタル記録する方式が提案されており、このデジタル動画像を、ＩＥＥＥ１３９４上で伝送する方式が提案されている。
【００１２】
図１６に記録媒体がディスクである場合の装置の概略を示す。送信側のディスク（４０１）の動画像データは記録再生処理部（４０２）で読み出された後データ処理部（４０３）に送られる。データ処理部（４０３）では表示部（４０４）で動画を表示する為のデコード処理が施される。さらに記録再生処理部（４０２）で読み出されたデータは１３９４インターフェース部（４０５）に入力される。そして後で述べる様な所定のパケット化が施され１３９４ケーブル（４０６）を経由して受信側の１３９４インターフェース部（４０７）に入力される。受信側では送られてきたデータをデータ処理部（４０８）でデコードして表示部（４０９）で表示する。また記録再生処理部（４１０）によってディスク（４１１）に記録される。
【００１３】
図１７は記録されている動画像データであるＭＰＥＧトランスポートストリームデータ（以降ＭＰＥＧ−ＴＳ）を１３９４のアイソクロナスパケットにパケット化するフローを示す。記録されているデータ列（５０１）は前記記録再生処理部によって読み出され、１８８バイトのＭＰＥＧ−ＴＳパケット（５０２）ごとに前記１３９４インターフェース手段に入力される。この時各ＭＰＥＧ−ＴＳパケット（５０２）にはヘッダとしてタイムスタンプデータが付加され、ソースパケット（５０３）となる。次にこのソースパケットは８つのデータブロック（５０４）に分割される。そしてＭＰＥＧ−ＴＳデータのビットレートに応じて幾つかの（ここでは一例として４つの）ブロック（５０５）が１つのアイソクロナスデータ（５０６）とされる。各アイソクロナスデータには共通アイソクロナスパケット（ＣＩＰ）ヘッダ（５０７）やアイソクロナスパケットヘッダ（５０８）、ＣＲＣデータ（５０９）が付加されアイソクロナスパケット（５１０）となる。
【００１４】
この例では各アイソクロナスサイクルで４つのデータブロックから成るパケットを伝送しており、ＭＰＥＧ−ＴＳデータのビットレートは約６．０１６Ｍｂｐｓである。
【００１５】
アイソクロナス通信に関しては「ＩＥＥＥ  Ｓｔｄ  １３９４−１９９５・ＩＥＥＥ  Ｓｔａｎｄａｒｄ  ｆｏｒ  ａ  Ｈｉｇｈ  Ｐｅｒｆｏｒｍａｎｃｅ  Ｓｅｒｉａｌ  Ｂｕｓ」に記述されている。
【００１６】
またＭＰＥＧ−ＴＳデータを１３９４のアイソクロナスパケットとして伝送する方法は「ＩＥＣ  ６１８８３−４：Ｃｏｎｓｕｍｅｒ  ａｕｄｉｏ／ｖｉｄｅｏ  ｅｑｕｉｐｍｅｎｔ−Ｄｉｇｉｔａｌ  ｉｎｔｅｒｆａｃｅ−Ｐａｒｔ  ４：ＭＰＥＧ２−ＴＳ  ｄａｔａ  ｔｒａｎｓｍｉｓｓｉｏｎ」に記述されている。
【００１７】
ここで、図１８で、ＭＰＥＧ方式での画像フレームの並びについて説明する。ＭＰＥＧ方式では、フレーム内で圧縮するもの（Ｉピクチャ）、フレーム内と前方フレーム間で圧縮するもの（Ｐピクチャ）、フレーム内と前後のフレーム間で圧縮するもの（Ｂピクチャ）の、３種類の圧縮されたフレームが存在する。このため、Ｉ，Ｐピクチャを先に伝送してから、Ｂピクチャを送ることになり、原画像のフレーム並びと、伝送、再生画像の順序が異なる。
【００１８】
図１８で、（ａ）は原画像の並び順であり、Ｂ０，Ｂ１，Ｉ3の順に並んでいる。これを符号化処理、メディア（伝送路上）では、（ｂ）の様に、Ｉ3，Ｂ０，Ｂ１，Ｐ５の順に並びかえる。復号もこの順で行われ、これを（ｃ）の様に、Ｂ０，Ｂ１，Ｉ3の順で表示する。
【００１９】
ＩＥＥＥ１３９４のアイソクロナス転送については、パケットにエラーが発生した場合、そのパケットを再送する仕組みは用意されていない。通常のＳＤ画像では、フレーム内圧縮のみであるため、一つのパケットのエラーは、１フレーム内で収まっていた。
【００２０】
しかしながら、ＭＰＥＧ−ＴＳをＩＳＯ転送した場合、一つのパケットがエラーとなったとしても、複数のフレーム間にエラーが波及する場合があり、通常のＳＤ画像の転送よりも、エラーが発生した場合、再生画像の劣化が著しい。例えば、Ｉピクチャの転送中にエラーが発生した場合、そのＩピクチャだけでなく、これに関連して復号されるＰピクチャ、Ｂピクチャにも影響を与えてしまう。
【００２１】
これに対し、アイソクロナス転送の１サイクル内で、パケットを時間軸多重することで、パケットエラーを回避する方法が提案されている（特開２０００−３０７６１８号公報）。これによれば、図１９に示すように、サイクルスタートパケット７０１に続いて、第１のアイソクロナスチャンネルのパケット７０２と第２のアイソクロナスパケット７０３を送る。このときのデータの順序を、図２０に示す。図で、（ａ）段は第１チャンネルで送るパケットであり、（ｂ）段は第２チャンネルで送るパケットである。（ｃ）は、受信した結果、出力されるパケットである。第１チャンネルでは、ＭＰＥＧ−ＴＳのパケットを、アイソクロナスサイクル毎にＡ０，Ａ１，Ａ２，，，の順で送る。同様に、第２チャンネルは、Ｂ０，Ｂ１，Ｂ２，，の順で送る。図で、Ａ０とＢ０またはＡ１とＢ１というように、上下に表示したパケットは、同一アイソクロナスサイクル内に送られるものである。特開２０００−３０７６１８号公報によれば、複数のアイソクロナスチャンネルのうち、少なくとも一つのチャンネルは本来の順序で送り、他のチャンネルは順序を変えて送る方法も開示されている。
【特許文献１】特開２０００−３０７６１８号公報
【非特許文献１】ＩＥＥＥ  Ｓｔｄ  １３９４−１９９５・ＩＥＥＥ  Ｓｔａｎｄａｒｄ  ｆｏｒ  ａ  Ｈｉｇｈ  Ｐｅｒｆｏｒｍａｎｃｅ  Ｓｅｒｉａｌ  Ｂｕｓ
【非特許文献２】ＩＥＣ  ６１８８３−４：Ｃｏｎｓｕｍｅｒ  ａｕｄｉｏ／ｖｉｄｅｏ  ｅｑｕｉｐｍｅｎｔ−Ｄｉｇｉｔａｌ  ｉｎｔｅｒｆａｃｅ−Ｐａｒｔ  ４：ＭＰＥＧ２−ＴＳ  ｄａｔａ  ｔｒａｎｓｍｉｓｓｉｏｎ
【発明の開示】
【発明が解決しようとする課題】
【００２２】
しかしながら、従来の装置では、ダビングの開始時に帯域を確保した後、帯域を変更する手段がなかったため、同一フォーマットのみが記録されたテープ間でのダビングは問題無く行えたが、異なるフォーマットが混在するテープの場合、移行するモードによっては、データが転送できない場合が生じていた。
【００２３】
すなわち、始めにＳＤＬデータを転送していたときに、モードがＳＤとなった場合、転送帯域はＳＤＬの分しか確保していないため、ＳＤのパケットを転送することができなかった。
【００２４】
また、逆にＳＤからＳＤＬになる場合は、実際のデータ転送に必要な帯域よりも多くの不要な帯域を確保してしまい、他にアイソクロナス転送をしようとするノードがある場合に妨げとなる場合があった。
【００２５】
このようなパケット転送を行うＤＩＦの構成としては、概ね図１１の様にＦＩＦＯバッファを持った構成が考えられる。図で、１３はＦＩＦＯバッファであり、再生された画像データを一時的に保管する。１９００はパケット化を行う部分であり、コントローラからの指示に従い、画像データをアイソクロナスパケットに加工したり、コントローラからのコマンドをアシンクロナスパケットに加工する。
【００２６】
このような構成のＤＩＦで、再生する画像情報がＳＤＬからＳＤ画像に変化した場合のパケット転送の様子を図１２に示す。図で、初め３サイクルまではＳＤＬパケットが送られているが、４サイクル目からはＳＤパケットが転送されることとなる。
【００２７】
しかしながら、これらの解決を図ったとしても、ダビング先で、フォーマットが切り換わった画像データを受信した場合、送られたアイソクロナスパケットによって始めて画像データが切り換わったことが判定できるため、その時点から記録方式の変更を始めることになる。このため、新たな画像フォーマットで記録できるまでに時間がかかってしまい、しばらくの間、新たな画像データを記録することができなかった。
【００２８】
また、後段の従来の例に関連して、特開２０００−３０７６１８号公報の方法では、同一アイソクロナスサイクル内のパケットが全てエラーとなると、正常な出力が得られない。すなわち、図２１に示すように、第１チャンネルでＡ３，第２チャンネルでＢ３を送っているアイソクロナスサイクルで、Ａ３，Ｂ３のパケットが共にエラーの場合、出力で３番目のパケットは失われることになる。
特開２０００−３０７６１８号公報にあるように、複数のアイソクロナスチャンネルのうち、少なくとも一つのチャンネルは本来の順序で送り、他のチャンネルは順序を変えて送ることとすれば、同一アイソクロナスサイクルで発生するエラーは回避することができるが、順序を変えたチャンネルのデータを再現するため、大きめのデータバッファが必要となる。
【課題を解決するための手段】
【００２９】
本発明によれば、上記問題点を以下の様にして解決している。
【００３０】
すなわち、ダビング中に異なるフォーマットが現れた場合、ダビング元が再生及びデータ転送を一時停止するとともに、ダビング先に対して一時停止命令を送る。さらに、ダビング先に新たなフォーマットについての情報を送る。また、確保していた通信帯域を開放する。ダビング先は、一旦停止命令を受けて一旦停止状態となる。ダビング元では、新たなフォーマットに応じた帯域を確保して、データ転送、ダビングを再開する。
【００３１】
本発明によれば、ダビング元で、再生された画像データのフォーマットの切り換わりを検出した場合、新たな画像データのアイソクロナスパケットが送られる前に、フォーマット切り換わり情報をアシンクロナスパケットとして送信することで、ダビング先に対して、早めに画像データのフォーマットの切り換わりを知らせることとしている。これにより、ダビング先では、新たな画像データのフォーマットで記録するまでの準備を早めることができる。
【００３２】
本発明では、ＭＰＥＧ−ＴＳを、アイソクロナス転送する場合、元データを複数のパケットに分け、それを同数のアイソクロナスチャンネルを使用して、転送する。さらに、一つのチャンネル内では、同一パケットをチャンネル数分だけ繰り返して転送する。
【発明の効果】
【００３３】
以上説明したように、本発明によれば、ダビング中に異なるフォーマットが現れた場合、ダビング元が再生及びデータ転送を一時停止するとともに、ダビング先に対して一時停止命令を送る。さらに、ダビング先に新たなフォーマットについての情報を送る。また、確保していた通信帯域を開放する。ダビング先は、一旦停止命令を受けて一旦停止状態となる。ダビング元では、新たなフォーマットに応じた帯域を確保して、データ転送、ダビングを再開する。これにより、異なるフォーマットが混在するテープ間のダビングが、良好に行える。
【００３４】
本発明では、ＭＰＥＧ−ＴＳを、アイソクロナス転送する場合、元データを複数のパケットに分け、それを同数のアイソクロナスチャンネルを使用して、転送する。さらに、一つのチャンネル内では、同一パケットをチャンネル数分だけ繰り返して転送する。これにより、再転送要求を行うことなく、アイソクロナス転送でのパケットエラーの発生によるＭＰＥＧ画像の劣化が防止できる。さらに同一アイソクロナスサイクルで、全てのパケットがエラーとなっても、データを回復できる。
【００３５】
本発明によれば、ダビング元で、再生された画像データのフォーマットの切り換わりを検出した場合、新たな画像データのアイソクロナスパケットが送られる前に、フォーマット切り換わり情報をアシンクロナスパケットとして送信することで、ダビング先に対して、早めに画像データのフォーマットの切り換わりを知らせることとしている。これにより、ダビング先では、新たな画像データのフォーマットで記録するまでの準備を早めることができる。
【発明を実施するための最良の形態】
【００３６】
（実施例１）
図１に本発明による第１の実施例の構成、及び図２と図３に本発明による装置によるダビングの手順を示す。
【００３７】
図１で、１は、少なくともＳＤ及びＳＤＬ再生ができる装置であり、テープから再生されたデジタル画像データを出力する。２は、再生される画像フォーマットがＳＤであるか、ＳＤＬであるかを判別する回路である。これは、たとえば、ＰＡＣＫ情報を読み取ることで判別動作を行う。３は、本実施例でのコントローラであり、以下に述べるように図２に示す制御を行なう。４は、デジタル・インターフェース（ＤＩＦ）であり、再生されたデジタル画像をアイソクロナスパケットとして１３９４パス上に送信し、またコントローラ３からの命令を送信したり、パスからの命令を受信しコントローラ３に伝える。５は、出力回路であり、デジタル画像データを画像信号に変換する。６は、モニターであり画像信号を受け取り画像を表示する。装置１を構成するのは、少なくとも１から５までであり、６のモニターを含むかどうかは任意である。
【００３８】
７は、少なくともＳＤ及びＳＤＬ記録ができる装置であり、入力されたデジタル画像データを記録する。８は、１０のＤＩＦから入力される画像フォーマットがＳＤであるか、ＳＤＬであるかを判別する回路である。これは、例えば、ＣＩＰヘッダの中のＳＤ／ＳＤＬ情報または、パケットサイズ（データサイズ）で判別動作を行う。９は、本実施例でのコントローラであり、以下に述べるように図３に示す制御を行う。５は、ＤＩＦ部であり、デジタル画像のアイソクロナスパケットを受信して画像データとして出力し、またパスからの命令を受信してコントローラ３に伝えたり、コントローラ３からの命令を送信する。１１は、出力回路であり、デジタル画像データを画像信号に変換する。１２は、モニターであり画像信号を受け取り画像を表示する。装置２を構成するのは、少なくとも７から１１までであり、１２のモニターを含むかどうかは任意である。
【００３９】
３１０はＩＥＥＥ１３９４で規定されているパスであり、装置１と装置２の間でデジタル画像データや命令を伝達する。
【００４０】
装置１と装置２の間でダビングを行う場合、装置１がダビング元となり、装置２がダビング先とする。
【００４１】
以下、図２、図３の流れに沿って、説明する。
【００４２】
装置１と装置２のダビングの際の各コントローラの動作を示す。尚、（  ）内は、ステップ番号を示す。
【００４３】
（装置１）
（１）初めに送り出す画像がＳＤかＳＤＬであるかを判別回路２の結果により判断して、モードを設定する。
（２）４のＤＩＦを通して、転送するモードに応じたアイソクロナス転送の帯域を確保する。
（３）４のＤＩＦを通してダビング（データ転送）を開始する。
（４）ダビング中は、再生画像のモード（ＳＤ、ＳＤＬ）に変化があるかどうかを２の判別回路からの結果によりチェックする。変化が無い場合は、そのままダビングを続ける（（３）に戻る）。
（５）再生画像のモードが変化した場合、再生機１にＰＡＵＳＥ命令を出し、装置１はＰＡＵＳＥ状態となる（再生一時中止、データ転送中止）。
（６）４のＤＩＦを通して、装置１から装置２へ、ＰＡＵＳＥ命令を送る。さらに、変更されるモードについての指示を送る。
（７）確保しているアイソクロナス転送の帯域を開放する。
（８）装置１を新たなモードに更新する。
（９）４のＤＩＦを通して、新たなモードに応じたアイソクロナス転送の帯域を確保する。
（１０）装置２側のモードが更新されるまで一定時間待つ。その後、（３）のデータ転送を再開する。
【００４４】
（装置２）  図3にそって説明する。
（１）初めに送り出す画像がＳＤかＳＤＬであるかを判別回路８の結果により判断して、モードを設定する。
（２）１０のＤＩＦを通してデータを受信し、ダビングを開始する。
（３）ダビング中は、装置１からＰＡＵＳＥ命令が送られてくるかどうかをチェックする。ＰＡＵＳＥ命令が無い場合は、そのままダビングを続ける（（２）に戻る）。
（４）ＰＡＵＳＥ命令を受けた場合、装置２はＰＡＵＳＥ状態となる（記録一時中止）。
（５）装置２を新たなモードに更新しデータ受信を再開する（（２）に戻る）。
【００４５】
装置１から装置２へのＰＡＵＳＥ命令は、ＡＶ／Ｃ  Ｄｉｇｉｔａｌ  Ｉｎｔｅｒｆａｃｅ  Ｃｏｍｍａｎｄ  ＳｅｔのＶＣＲ  Ｓｕｂｕｎｉｔで規定されているＰＬＡＹコマンドで、ｐｌａｙｂａｃｋ＿ｍｏｄｅをＦＯＲＷＡＲＤ  ＰＡＵＳＥにして送ればよい。
【００４６】
同様に、装置１から装置２へ、モードを指示することは、ＩＮＰＵＴ  ＳＩＧＮＡＬ  ＭＯＤＥコマンドを利用すればよい。
【００４７】
（実施例２）
図１及び図９、図１０を用いて、第２の実施例について説明する。４のダビング元のＤＩＦの構成を示したものである。図で、１３はＦＩＦＯバッファであり、再生された画像データを一時的に保管する。１４００はパケット化を行う部分（パレケット部）であり、コントローラからの指示に従い、画像データをアイソクロナスパケットに加工したり、コントローラからのコマンドをアシンクロナスパケットに加工する。
【００４８】
本発明のパケット部では、コントローラからの指示の内、画像フォーマットの変更に関する指示が与えられた場合、これを優先的に処理して、画像情報切り換え情報としてアシンクロナスパケットを作成し、新たなフォーマットの画像データがアイソクロナスパケットとして転送される前に、１３９４バス側に転送する。すなわち、２の判別回路の判定結果で画像フォーマットが切り換わったと判断されたとき、３のコントローラは、画像フォーマットの切り換え指示を４のＤＩＦに送るが、ＤＩＦでは、ＦＩＦＯで一旦蓄積される（遅延される）新たな画像フォーマットのデータがＦＩＦＯから出力される前に、画像情報切り換え情報を１３９４バスに出力する。
【００４９】
この様子を図１０で示す。図で、初め３サイクルまではＳＤＬパケットが送られているが、４サイクル目からはＳＤパケットが転送されている。本発明では、画像フォーマットが切り換わる３サイクル前（図で最初のサイクル）のアイソクロナス転送の所に、画像フォーマット切り変え情報が送られている。
【００５０】
装置１から装置２へのモード更新指示は、ＡＶ／Ｃ  Ｄｉｇｉｔａｌ  Ｉｎｔｅｒｆａｃｅ  Ｃｏｍｍａｎｄ  ＳｅｔのＶＣＲ  Ｓｕｂｕｎｉｔで規定されているＩＮＰＵＴ  ＳＩＧＮＡＬ  ＭＯＤＥコマンドを利用すればよい。
【００５１】
さらに、実際のデータが、モード更新指示から何サイクル目から切り換わるのかの情報を、このコマンドに追加することは容易である。
【００５２】
（実施例３）
図１３から図１６に本発明による実施例３を示す。
【００５３】
図１３は、本実施例を実現する構成例の一つである。図で１０１は入力データを一時保存するバッファであり、１０２はパケットの生成・転送を制御する制御手段であり、１０３は送信側のＩＥＥＥ１３９４インターフェースであり、入力データにヘッダ情報やエラー訂正符号を追加して、アイソクロナス・パケットにパケット化する。入力データは、１０１に一旦保存され、制御手段からの要求に応じて、呼び出され、１０３からアイソクロナス・パケットとして転送される。１０４は受信側のＩＥＥＥ１３９４インターフェースであり、受信されたパケットから、ヘッダ情報等を除き、エラー訂正処理などを行う。１０５の制御手段は、ＩＥＥＥ１３９４でのエラー訂正結果などから、転送されたパケットの選択を行う。１０６は受信されてヘッダ等を除いたデータが、一旦保存されるバッファである。１０７は選択手段であり、１０６の制御手段からの制御に応じて、受信したパケットを選択して出力データとする。
【００５４】
本実施例では、第１チャンネルでは偶数番号のパケットを２回づつ送り、第２チャンネルでは奇数番号のパケットを２回づつ送る。第１チャンネルと第２チャンネルのパケットから必要なパケットを選択することで、元々のパケットが再構成される。これにより、アイソクロナスパケットにエラーが生じた場合、もう一方のチャンネルで送られたデータを利用することで、正常な出力が保たれる。すなわち、図１４の様に、Ａ２’，Ｂ３’，Ａ４，Ｂ５の４パケットにエラーが生じて、ＭＰＥＧ再生に支障がでるような場合は、別に送ったＡ２，Ｂ３，Ａ４’，Ｂ５’のパケットを出力として選択することで、最終的に出力されるデータは、正常なものとなるのである（図１５）。
【００５５】
なお、本実施例をアイソクロナスチャンネルを３チャンネル以上使用する形で実現することは、転送能力に空きがあれば、容易である。
【図面の簡単な説明】
【００５６】
【図１】本発明の実施例の構成
【図２】実施例の装置１側のコントローラの手順
【図３】実施例の装置２側のコントローラの手順
【図４】ＳＤフォーマットのテープパターン
【図５】ＳＬＤフォーマットのテープパターン
【図６】ＳＤフォーマットのデータ転送の様子
【図７】ＳＤＬフォーマットのデータ転送の様子
【図８】アイソクロナス・パケットの構造
【図９】本発明のＤＩＦ
【図１０】本発明の場合の画像フォーマットが切り換わる所でのパケットの様子
【図１１】ＤＩＦ
【図１２】画像フォーマットが切り換わる所でのパケットの様子
【図１３】本発明の構成例
【図１４】本発明の実施例のパケット転送の説明
【図１５】本発明の実施例のパケットエラー修正の説明
【図１６】装置の概略を説明
【図１７】ＭＰＥＧ−ＴＳパケット作成の説明
【図１８】ＭＰＥＧフレーム転送順序の説明
【図１９】パケット転送の様子
【図２０】パケット転送の説明
【図２１】パケットエラー修正の説明
【符号の説明】
【００５７】
１  装置１の再生機
２  装置１のＳＤ／ＳＤＬ判別回路
３  装置１のコントローラ
４  装置１のデジタル・インターフェース
５  装置１の出力回路
６  モニター
７  装置２の記録機
８  装置２のＳＤ／ＳＤＬ判別回路
９  装置２のコントローラ
１０  装置２のデジタル・インターフェース
１１  装置２の出力回路
１２  モニター
１３  サイクルスタートパケット
１４  ＳＤ画像のアイソクロナスパケット
１５  ＳＤＬ画像のアイソクロナスパケット
１３  ＦＩＦＯバッファ
１４００  本発明のパケット部
１５００  サイクルスタートパケット
１６００  ＳＤ画像のアイソクロナスパケット
１７００  ＳＤＬ画像のアイソクロナスパケット
１８００  画像情報切り換わり
１９００  従来のパケット部
【図１】
2007080353.tif 000003
【図２】
2007080353.tif 000004
【図３】
2007080353.tif 000005
【図４】
2007080353.tif 000006
【図５】
2007080353.tif 000007
【図６】
2007080353.tif 000008
【図７】
2007080353.tif 000009
【図８】
2007080353.tif 000010
【図９】
2007080353.tif 000011
【図１０】
2007080353.tif 000012
【図１１】
2007080353.tif 000013
【図１２】
2007080353.tif 000014
【図１３】
2007080353.tif 000015
【図１４】
2007080353.tif 000016
【図１５】
2007080353.tif 000017
【図１６】
2007080353.tif 000018
【図１７】
2007080353.tif 000019
【図１８】
2007080353.tif 000020
【図１９】
2007080353.tif 000021
【図２０】
2007080353.tif 000022
【図２１】
2007080353.tif 000023